(57)【特許請求の範囲】
【請求項１】
複数のエリアの位置情報を記憶する記憶手段と、上記記憶手段により記憶されている位置情報を順番に取得する位置情報取得手段と、上記位置情報取得手段が位置情報を取得する毎に、その位置情報にしたがってアンテナのビーム方向を決定し、そのアンテナを用いて、ＧＰＳ衛星から送信されるＧＰＳ信号を受信することができないエリアに向けて当該位置情報を配信する配信手段とを備えた位置情報配信装置。
【請求項２】
配信手段は、フェーズドアレイ・アンテナを用いて位置情報を配信することを特徴とする請求項１記載の位置情報配信装置。
【請求項３】
複数のエリアの位置情報を記憶する記憶手段と、上記記憶手段により記憶されている複数のエリアの位置情報を取得する位置情報取得手段と、ＧＰＳ衛星から送信されるＧＰＳ信号を受信することができない複数のエリアに向けてビームを照射するマルチビームアンテナを用いて、上記位置情報取得手段により取得された各エリアの位置情報を同時に配信する配信手段とを備えた位置情報配信装置。
【請求項４】
配信手段は、ＧＰＳ衛星から発信されるＧＰＳ信号と同一形式の位置情報を配信することを特徴とする請求項１から請求項３のうちのいずれか１項記載の位置情報配信装置。
【請求項５】
配信手段は、携帯情報端末の基地局から発信されるエリア信号と同一形式の位置情報を配信することを特徴とする請求項１から請求項３のうちのいずれか１項記載の位置情報配信装置。
【請求項６】
配信手段は、位置情報を配信する際、その位置情報以外の情報を配信することを特徴とする請求項１から請求項５のうちのいずれか１項記載の位置情報配信装置。
【請求項７】
複数のエリアの位置情報を記憶する一方、各エリアの位置情報を順番に取得する毎に、その位置情報にしたがってアンテナのビーム方向を決定し、そのアンテナを用いて、ＧＰＳ衛星から送信されるＧＰＳ信号を受信することができないエリアに向けて当該位置情報を配信する位置情報配信装置と、地図情報をダウンロードして地図を表示するとともに、上記位置情報配信装置から配信される位置情報を受信すると、その位置情報にしたがって現在位置を地図上に表示する携帯情報端末とを備えた位置表示システム。
【請求項８】
複数のエリアの位置情報を記憶する一方、複数のエリアの位置情報を取得すると、ＧＰＳ衛星から送信されるＧＰＳ信号を受信することができない複数のエリアに向けてビームを照射するマルチビームアンテナを用いて、各エリアの位置情報を同時に配信する位置情報配信装置と、地図情報をダウンロードして地図を表示するとともに、上記位置情報配信装置から配信される位置情報を受信すると、その位置情報にしたがって現在位置を地図上に表示する携帯情報端末とを備えた位置表示システム。
【発明の詳細な説明】
【０００１】
【発明の属する技術分野】
この発明は、例えば、ビル内や地下街など、ＧＰＳ衛星から発信されるＧＰＳ信号等を受信することができない場所においても、現在位置の表示を可能にする位置情報配信装置、携帯情報端末及び位置表示システムに関するものである。
【０００２】
【従来の技術】
近年においては、ＧＰＳ受信機を搭載している携帯電話機などの携帯情報端末が存在する。
ＧＰＳ受信機を搭載している携帯電話機は、ＧＰＳ衛星から発信されるＧＰＳ信号を受信することができるので、予め地図情報をダウンロードしていれば、地図上に現在位置を表示することができる。
【０００３】
【発明が解決しようとする課題】
従来の携帯情報端末は以上のように構成されているので、ＧＰＳ受信機を搭載していれば、ＧＰＳ衛星から発信されるＧＰＳ信号に基づいて地図上に現在位置を表示することができる。しかし、ビル内や地下街など、ＧＰＳ衛星から発信されるＧＰＳ信号を受信することができない場所においては、現在位置を表示することができないなどの課題があった。
【０００４】
この発明は上記のような課題を解決するためになされたもので、ＧＰＳ衛星から発信されるＧＰＳ信号を受信することができない場所においても、現在位置を表示することができる位置表示システムを得ることを目的とする。
また、この発明は、ＧＰＳ衛星から発信されるＧＰＳ信号を受信することができない場所においても、現在位置の表示を可能にする位置情報配信装置を得ることを目的とする。
【０００５】
【課題を解決するための手段】
この発明に係る位置情報配信装置は、位置情報取得手段が記憶手段により記憶されている複数の位置情報を順番に取得する毎に、その位置情報にしたがってアンテナのビーム方向を決定し、そのアンテナを用いて、ＧＰＳ衛星から送信されるＧＰＳ信号を受信することができないエリアに向けて当該位置情報を配信するようにしたものである。
【０００６】
この発明に係る位置情報配信装置は、配信手段がフェーズドアレイ・アンテナを用いて位置情報を配信するようにしたものである。
【０００７】
この発明に係る位置情報配信装置は、ＧＰＳ衛星から送信されるＧＰＳ信号を受信することができない複数のエリアに向けてビームを照射するマルチビームアンテナを用いて、位置情報取得手段により取得された各エリアの位置情報を同時に配信するようにしたものである。
【０００８】
この発明に係る位置情報配信装置は、ＧＰＳ衛星から発信されるＧＰＳ信号と同一形式の位置情報を配信するようにしたものである。
【０００９】
この発明に係る位置情報配信装置は、携帯情報端末の基地局から発信されるエリア信号と同一形式の位置情報を配信するようにしたものである。
【００１０】
この発明に係る位置情報配信装置は、配信手段が位置情報を配信する際、その位置情報以外の情報を配信するようにしたものである。
【００１１】
この発明に係る位置表示システムは、各エリアの位置情報を順番に取得する毎に、その位置情報にしたがってアンテナのビーム方向を決定し、そのアンテナを用いて、ＧＰＳ衛星から送信されるＧＰＳ信号を受信することができないエリアに向けて当該位置情報を配信する位置情報配信装置を設けたものである。
【００１２】
この発明に係る位置表示システムは、複数のエリアの位置情報を取得すると、ＧＰＳ衛星から送信されるＧＰＳ信号を受信することができない複数のエリアに向けてビームを照射するマルチビームアンテナを用いて、各エリアの位置情報を同時に配信する位置情報配信装置を設けたものである。
【００１３】
【発明の実施の形態】
以下、この発明の実施の一形態を説明する。
実施の形態１．
図１はこの発明の実施の形態１による位置表示システムを示す構成図、図２はこの発明の実施の形態１による位置表示システムを示すイメージ図である。
図において、１は複数のエリアの位置情報を記憶する一方、各エリアの位置情報を順番に取得して、その位置情報を送信する位置情報サーバ、２は位置情報サーバ１から送信される位置情報を受信すると、その位置情報にしたがってフェーズドアレイ・アンテナのビーム方向を決定し、そのフェーズドアレイ・アンテナを用いて位置情報を配信する可動ビーム型のアンテナ装置であり、アンテナ装置２は、経路が複雑な空港ターミナルビルなどの天井に設置される。なお、位置情報サーバ１及びアンテナ装置２から位置情報配信装置が構成されている。
３は地図情報をダウンロードして地図を表示するとともに、アンテナ装置２から配信される位置情報を受信すると、その位置情報にしたがって現在位置を地図上に表示する携帯電話機（携帯情報端末）である。
【００１４】
１１は複数のエリアの位置情報（エリア＃１情報、エリア＃２情報、・・・、エリア＃ｎ情報）を記憶する記憶部（記憶手段）、１２は各エリアに位置情報が順番に配信されるように設定されたスケジュールにしたがって記憶部１１から位置情報を順番にリードし、その位置情報をアンテナ装置２に送信する送信制御部、１３は位置情報サーバ１から送信された位置情報を受信する受信制御部である。なお、送信制御部１２及び受信制御部１３から位置情報取得手段が構成されている。
【００１５】
１４は受信制御部１３により受信された位置情報にしたがってフェーズドアレイ・アンテナのビーム方向を決定する位相制御部、１５はフェーズドアレイ・アンテナを用いて、受信制御部１３により受信された位置情報を配信する無線送信部である。なお、位相制御部１４及び無線送信部１５から配信手段が構成されている。
【００１６】
１６は地図情報をダウンロードするダウンロード部（ロード手段）、１７はアンテナ装置２から配信される位置情報を受信する無線受信部（受信手段）、１８はダウンロード部１６によりダウンロードされた地図情報にしたがって地図を表示するとともに、無線受信部１７により受信された位置情報にしたがって現在位置を地図上に表示する表示部（表示手段）である。
【００１７】
次に動作について説明する。
例えば、展示場や博物館、デパートや空港ターミナルビルなどは、経路が複雑であるため、初めての訪問者は現在位置の把握が困難な場合がある。
その場所がＧＰＳ衛星から発信されるＧＰＳ信号を受信することが不可能な場所である場合、上述したように、ＧＰＳ受信機を搭載している携帯電話機を所有していても、地図上に現在位置を表示することができない。
そこで、この実施の形態１では、ＧＰＳ衛星から発信されるＧＰＳ信号を受信することができない場所においても、現在位置の表示を可能にするため、次のようにしている。
【００１８】
まず、携帯電話機３を所有する訪問者は、経路が複雑な空港ターミナルビル等に入る際、その入口付近に設置されている地図配信装置から地図情報をダウンロードする（図４を参照）。
具体的には、訪問者が例えば携帯電話機３のＢｌｕｅｔｏｏｔｈ機能を使用して、地図情報の配信要求を地図配信装置に送信し、地図配信装置から地図情報が配信されてくると、携帯電話機３のダウンロード部１６が地図情報を受信して図示せぬメモリに格納する。
ただし、地図情報のダウンロード方法は、これに限るものではなく、例えば、インターネット上のホームページにアクセスして、そのホームページから地図情報をダウンロードするようにしてもよい。
【００１９】
一方、位置情報サーバ１の送信制御部１２は、図２及び図３に示すように、各エリアに位置情報を順番に配信するため、予め設定されたスケジュールにしたがって記憶部１１から位置情報を順番にリードする。即ち、エリア＃１情報→エリア＃２情報→・・・→エリア＃ｎ情報→エリア＃１情報のように位置情報を順番にリードする。
そして、送信制御部１２は、記憶部１１から位置情報をリードすると、その位置情報をアンテナ装置２に送信する。
【００２０】
アンテナ装置２の受信制御部１３は、位置情報サーバ１が位置情報を送信すると、その位置情報を受信して位相制御部１４に出力する。
アンテナ装置２の位相制御部１４は、受信制御部１３から位置情報を受けると、その位置情報にしたがってフェーズドアレイ・アンテナのビーム方向を決定する。即ち、位相制御部１４は、フェーズドアレイ・アンテナのビーム方向を設定する移相器を内蔵しているので、その位置情報にしたがって移相器を制御する。
アンテナ装置２の無線送信部１５は、位相制御部１４がフェーズドアレイ・アンテナのビーム方向を決定すると、そのフェーズドアレイ・アンテナを用いて、受信制御部１３により受信された位置情報を配信する。
【００２１】
携帯電話機３の無線受信部１７は、アンテナ装置２から配信される位置情報を受信する。
即ち、携帯電話機３を所有する訪問者が例えばエリアＡ内に存在する場合には、位置情報としてエリア＃１情報を受信し、エリアＢ内に存在する場合には、位置情報としてエリア＃２情報を受信する。
【００２２】
携帯電話機３の表示部１８は、図２に示すように、メモリに格納されている地図情報にしたがって地図をディスプレイに表示するとともに、無線受信部１７により受信された位置情報にしたがって現在位置を地図上に表示する。図２の例では、現在位置を“●”で示している。
【００２３】
以上で明らかなように、この実施の形態１によれば、記憶部１１により記憶されている位置情報を順番に取得して、その位置情報にしたがってフェーズドアレイ・アンテナのビーム方向を決定し、そのフェーズドアレイ・アンテナを用いて位置情報を配信するように構成したので、ＧＰＳ衛星から発信されるＧＰＳ信号を受信することができない場所においても、携帯電話機３が現在位置を表示することができる効果を奏する。
【００２４】
実施の形態２．
上記実施の形態１では、フェーズドアレイ・アンテナを用いて、各エリアの位置情報を順番に配信するものについて示したが、マルチビームアンテナを用いることにより、複数のエリアに向けて、各エリアの位置情報を同時に配信するようにしてもよく、上記実施の形態１と同様の効果を奏することができる。
【００２５】
この場合、位置情報サーバ１の送信制御部１２は、記憶部１１により記憶されている複数のエリアの位置情報を全てリードしてアンテナ装置２に送信する。
そして、アンテナ装置２の無線送信部１５は、受信制御部１３が複数のエリアの位置情報を受信すると、複数のエリアに向けて、各エリアの位置情報を同時に配信する。
【００２６】
実施の形態３．
上記実施の形態１，２では、特に言及していないが、ＧＰＳ衛星から発信されるＧＰＳ信号と同一形式の位置情報を配信するようにしてもよい。
即ち、位置情報サーバ１の記憶部１１には、ＧＰＳ信号と同一形式の位置情報を記憶し、アンテナ装置２の無線送信部１５が当該位置情報を送信するようにする。
これにより、ＧＰＳ受信機を内蔵している携帯電話機３の場合、新たなソフトウエアを搭載することなく、位置情報を受信して現在位置を表示することができる。
【００２７】
実施の形態４．
上記実施の形態１，２では、特に言及していないが、携帯電話機３の基地局から発信されるエリア信号（携帯電話機３が位置登録に使用するために、基地局から発信される報知信号）と同一形式の位置情報を配信するようにしてもよい。
即ち、位置情報サーバ１の記憶部１１には、携帯電話機３の基地局から発信されるエリア信号と同一形式の位置情報を記憶し、アンテナ装置２の無線送信部１５が当該位置情報を送信するようにする。
これにより、携帯電話機３は、新たなソフトウエアを搭載することなく、位置情報を受信することができる。
【００２８】
実施の形態５．
上記実施の形態１〜４では、アンテナ装置２が位置情報を配信するものについて示したが、アンテナ装置２が位置情報を配信する際、その位置情報以外の情報（例えば、催し物会場に至る経路情報、災害発生時の避難経路情報、広告情報）を配信し、携帯電話機３が位置情報以外の情報を受信して、その情報を表示するようにしてもよい。
【００２９】
例えば、位置情報サーバ１の記憶部１１には、各エリアから催し物会場に至る経路＃１情報等を記憶し、アンテナ装置２の無線送信部１５が位置情報としてエリア＃１情報等を配信する際、経路＃１情報等を配信するようにする。
そして、携帯電話機３の表示部１８は、無線受信部１７が経路＃１情報等を受信すると、その経路＃１情報等にしたがって現在位置から催し物会場に至る経路を表示する。
【００３０】
【発明の効果】
以上のように、この発明によれば、位置情報取得手段が記憶手段により記憶されている複数の位置情報を順番に取得する毎に、その位置情報にしたがってアンテナのビーム方向を決定し、そのアンテナを用いて、ＧＰＳ衛星から送信されるＧＰＳ信号を受信することができないエリアに向けて当該位置情報を配信するように構成したので、ＧＰＳ衛星から発信されるＧＰＳ信号を受信することができない場所においても、現在位置の表示を可能にすることができる効果がある。
【００３１】
この発明によれば、配信手段がフェーズドアレイ・アンテナを用いて位置情報を配信するように構成したので、機械的にビーム方向を切り替えるアンテナと比べて、アンテナのビーム方向を簡単に切り替えることができる効果がある。
【００３２】
この発明によれば、ＧＰＳ衛星から送信されるＧＰＳ信号を受信することができない複数のエリアに向けてビームを照射するマルチビームアンテナを用いて、位置情報取得手段により取得された各エリアの位置情報を同時に配信するように構成したので、ＧＰＳ衛星から発信されるＧＰＳ信号を受信することができない場所においても、現在位置の表示を可能にすることができる効果がある。
【００３３】
この発明によれば、ＧＰＳ衛星から発信されるＧＰＳ信号と同一形式の位置情報を配信するように構成したので、ＧＰＳ受信機を内蔵している携帯情報端末の場合、新たなソフトウエアを搭載することなく、位置情報を受信して現在位置を表示することができる効果がある。
【００３４】
この発明によれば、携帯情報端末の基地局から発信されるエリア信号と同一形式の位置情報を配信するように構成したので、携帯情報端末が新たなソフトウエアを搭載することなく、位置情報を受信することができる効果がある。
【００３５】
この発明によれば、配信手段が位置情報を配信する際、その位置情報以外の情報を配信するように構成したので、携帯情報端末の所有者に有用な情報を提供することができる効果がある。
【００３６】
この発明によれば、各エリアの位置情報を順番に取得する毎に、その位置情報にしたがってアンテナのビーム方向を決定し、そのアンテナを用いて、ＧＰＳ衛星から送信されるＧＰＳ信号を受信することができないエリアに向けて当該位置情報を配信する位置情報配信装置を設けるように構成したので、ＧＰＳ衛星から発信されるＧＰＳ信号を受信することができない場所においても、現在位置を表示することができる効果がある。
【００３７】
この発明によれば、複数のエリアの位置情報を取得すると、ＧＰＳ衛星から送信されるＧＰＳ信号を受信することができない複数のエリアに向けてビームを照射するマルチビームアンテナを用いて、各エリアの位置情報を同時に配信する位置情報配信装置を設けるように構成したので、ＧＰＳ衛星から発信されるＧＰＳ信号を受信することができない場所においても、現在位置を表示することができる効果がある。
【図面の簡単な説明】
【図１】  この発明の実施の形態１による位置表示システムを示す構成図である。
【図２】  この発明の実施の形態１による位置表示システムを示すイメージ図である。
【図３】  ビームのスキャン方法を示す説明図である。
【図４】  地図情報のダウンロードを説明する説明図である。
【符号の説明】
１  位置情報サーバ（位置情報配信装置）、２  アンテナ装置（位置情報配信装置）、３  携帯電話機（携帯情報端末）、１１  記憶部（記憶手段）、１２  送信制御部（位置情報取得手段）、１３  受信制御部（位置情報取得手段）、１４  位相制御部（配信手段）、１５  無線送信部（配信手段）、１６  ダウンロード部（ロード手段）、１７  無線受信部（受信手段）、１８  表示部（表示手段）。
【図１】
0003683540.tif 000002
【図２】
0003683540.tif 000003
【図３】
0003683540.tif 000004
【図４】
0003683540.tif 000005